【手続補正書】
【提出日】平成29年12月1日(2017.12.1)
【手続補正１】
【補正対象書類名】明細書
【補正対象項目名】０２９１
【補正方法】変更
【補正の内容】
【０２９１】
潤滑剤組成物中のそのような組み合せの存在は、さらに潤滑剤組成物が好適な耐摩耗特性を保持することを、鋼／鋼接触、および鋼／炭素被覆接触、特に鋼／ナノダイヤモンド接触、より特に鋼／ＤＬＣ接触で、可能にする。
なお、本発明は、実施の態様として以下の内容を含む。
〔態様１〕
以下を含む潤滑剤組成物：
・少なくとも１つの基油、
・少なくとも１つの有機モリブデン化合物、
・ジチオホスフェート基を含む少なくとも１つの化合物、および
・少なくとも１つの脂肪族トリアミン。
〔態様２〕
態様１に記載の潤滑剤組成物であって、有機モリブデン化合物がモリブデンジチオカーバメート化合物である潤滑剤組成物。
〔態様３〕
態様１に記載の潤滑剤組成物であって、有機モリブデン化合物が、以下から選択された少なくとも１つの化合物を含むモリブデン錯体である潤滑剤組成物。
−式（Ｉ）の化合物：
【化１】
2016540867.tif 000001
式中：
・Ｘ1は酸素原子または窒素原子を表わし；
・Ｘ2は酸素原子または窒素原子を表わし；
・Ｘ1が酸素原子を表わす場合、ｎは１を表わし、また、Ｘ2が酸素原子を表わす場合、ｍは１を表わし；
・Ｘ1が窒素原子を表わす場合、ｎは２を表わし、また、Ｘ2が窒素原子を表わす場合、ｍは２を表わし；
・Ｒ1は、３〜３０個の炭素原子（好ましくは３〜２０個の炭素原子、有利には７〜１７個の炭素原子）を含み、直鎖または分岐鎖の、飽和又は不飽和のアルキル基を表わす；
−式（ＩＩ）の化合物：
【化２】
2016540867.tif 000002
式中：
・Ｘ1は酸素原子または窒素原子を表わし；
・Ｘ2は酸素原子または窒素原子を表わし；
・Ｘ1が酸素原子を表わす場合、ｎは１を表わし、また、Ｘ2が酸素原子を表わす場合、ｍは１を表わし；
・Ｘ1が窒素原子を表わす場合、ｎは２を表わし、また、Ｘ2が窒素原子を表わす場合、ｍは２を表わし；
・Ｒ1は、３〜３０個の炭素原子（好ましくは３〜２０個の炭素原子、有利には７〜１７個の炭素原子）を含み、直鎖または分岐鎖の、飽和又は不飽和のアルキル基を表わし；
・Ｒ2は、３〜３０個の炭素原子（好ましくは３〜２０個の炭素原子、有利には７〜１７個の炭素原子）を含み、直鎖または分岐鎖の、飽和又は不飽和のアルキル基を表わす；
−式（Ｉ）の少なくとも１つの化合物および式（ＩＩ）の少なくとも１つの化合物の混合物。
〔態様４〕
態様３に記載の潤滑剤組成物であって、モリブデン錯体は、式（Ｉ−ａ）の少なくとも１つの化合物を含む潤滑剤組成物。
【化３】
2016540867.tif 000003
式中、Ｒ1は、３〜３０個の炭素原子（好ましくは３〜２０個の炭素原子、有利には７〜１７個の炭素原子）を含み、直鎖または分岐鎖の、飽和又は不飽和のアルキル基を表わす。
〔態様５〕
態様３に記載の潤滑剤組成物であって、モリブデン錯体は、式（ＩＩ−ａ）の少なくとも１つの化合物を含む潤滑剤組成物。
【化４】
2016540867.tif 000004
式中、Ｒ1は、３〜３０個の炭素原子（好ましくは３〜２０個の炭素原子、有利には７〜１７個の炭素原子）を含み、直鎖または分岐鎖の、飽和又は不飽和のアルキル基を表わす。
〔態様６〕
態様１から５のいずれか一態様に記載の潤滑剤組成物であって、有機モリブデン化合物の重量による量は、潤滑剤組成物の総重量に対して、０．０５〜３％（好ましくは０．１〜２％、有利には０．１〜１％）の範囲である潤滑剤組成物。
〔態様７〕
態様１〜６のいずれか一態様に記載の潤滑剤組成物であって、ジチオホスフェート基を含む化合物は、アンモニウム・ジチオホスフェート、アミン・ジチオホスフェート、エステル・ジチオホスフェート、および金属ジチオホスフェートの、単独でまたは混合物で構成された群から選択される潤滑剤組成物。
〔態様８〕
態様１〜７のいずれか一態様に記載の潤滑剤組成物であって、ジチオホスフェート基を含む化合物は式（ＶＩＩ）の化合物である潤滑剤組成物。
【化５】
2016540867.tif 000005
式中：
・Ｒ18は、直鎖または分岐鎖の、飽和又は不飽和の、置換又は非置換の、１〜３０個の炭素原子を含むアルキル基を表わし；
・Ｒ19は、直鎖または分岐鎖の、飽和又は不飽和の、置換又は非置換の、１〜３０個の炭素原子を含むアルキル基を表わし；
・Ｍは金属カチオン（好ましくはＺｎ2+カチオン）を表わし；
・ｎは、前記金属カチオンの価数を表わす。
〔態様９〕
態様１〜８のいずれか一態様に記載の潤滑剤組成物であって、ジチオホスフェート基を含む化合物が式（ＶＩＩ−ａ）または式（ＶＩＩ−ｂ）の化合物である潤滑剤組成物。
【化６】
2016540867.tif 000006
式中：
・Ｒ18は、直鎖または分岐鎖の、飽和又は不飽和の、置換又は非置換の、１〜３０個の炭素原子を含むアルキル基を表わし；
・Ｒ19は、直鎖または分岐鎖の、飽和又は不飽和の、置換又は非置換の、１〜３０個の炭素原子を含むアルキル基を表わす。
〔態様１０〕
態様１〜９のいずれか一態様に記載の潤滑剤組成物であって、ジチオホスフェート基を含む化合物の重量による量は、潤滑剤組成物の総重量に対して、０．１〜５％（好ましくは０．１〜３％、有利には０．５〜２％）の範囲である潤滑剤組成物。
〔態様１１〕
態様１〜１０のいずれか一態様に記載の潤滑剤組成物であって、脂肪族トリアミンは次のものから選択される潤滑剤組成物。
・式（ＶＩＩＩ）の化合物
Ｒ20−Ｎ−［（ＣＨ2）3−ＮＨ2］2          （ＶＩＩＩ）
式中、Ｒ20は少なくとも１０個の炭素原子を含む、直鎖または分岐鎖の、飽和又は不飽和のアルキル基を表わす；
・式（ＩＸ）の化合物
Ｒ21−ＮＨ−（ＣＨ2−ＣＨ2−ＣＨ2−ＮＨ）2−Ｈ        （ＩＸ）
式中、Ｒ21は少なくとも１０個の炭素原子を含む、直鎖または分岐鎖の、飽和又は不飽和のアルキル基を表わす。
〔態様１２〕
態様１〜１１のいずれか一態様に記載の潤滑剤組成物であって、脂肪族トリアミンの重量による量は、潤滑剤組成物の総重量に対して、０．１〜５％（好ましくは０．１〜３％、有利には０．５〜２％）の範囲である潤滑剤組成物。
〔態様１３〕
態様１〜１２のいずれか一態様に記載の潤滑剤組成物であって、質量比（有機モリブデン化合物／脂肪族トリアミン）１／１０〜１（好ましくは１／５〜４／５）を有する潤滑剤組成物。
〔態様１４〕
態様１〜１３のいずれか一態様に記載の潤滑剤組成物であって、質量比（有機モリブデン化合物／ジチオホスフェート基を含む化合物／脂肪族トリアミン）１／１０／１０〜１／１／１（好ましくは１／５／５〜４／５／５）を有する潤滑剤組成物。
〔態様１５〕
態様１〜１４のいずれか一態様に記載の潤滑剤組成物であって、清浄剤、アンモニウム・ジチオホスフェート、アミン・ジチオホスフェート、エステル・ジチオホスフェートおよび金属ジチオホスフェートと異なる耐摩耗添加剤、極圧添加剤、分散剤、流動点向上剤、消泡剤、増粘剤およびそれらの混合物から選択された少なくとも１つの添加剤をさらに含む潤滑剤組成物。
〔態様１６〕
乗り物エンジン（好ましくは自動車両エンジン）中の２つの鋼表面間の摩擦を減少させるための態様１〜１５のいずれか一態様に記載された潤滑剤組成物の使用。
〔態様１７〕
乗り物エンジン（好ましくは自動車両エンジン）中の鋼表面と炭素被覆表面の間の摩擦を減少させるための態様１〜１５のいずれか一態様に記載された潤滑剤組成物の使用。
〔態様１８〕
乗り物エンジン（好ましくは自動車両エンジン）中の２つの炭素被覆表面間の摩擦を減少させるための態様１〜１５のいずれか一態様に記載された潤滑剤組成物の使用。
〔態様１９〕
乗り物（好ましくは自動車両）の燃費を減少させるための態様１〜１５のいずれか一態様に記載された潤滑剤組成物の使用。
〔態様２０〕
以下を含む添加剤濃縮物型組成物：
・少なくとも１つの有機モリブデン化合物、
・ジチオホスフェート基を含む少なくとも１つの化合物、および
・少なくとも１つの脂肪族トリアミン。